(57)【要約】【課題】密閉度が高く、かつメンテナンス性を考慮したエンクロージャ構造を有するスピーカ装置を提供する。【解決手段】スピーカ装置１は、エンクロージャ１０１内に主基板９１も格納しているため、主基板９１を別空間に格納する必要ない。したがって、装置全体を小型化しつつ、エンクロージャ容積を稼ぐことができる。そして、主基板９１は、エンクロージャ１０１の内壁に取り付けられ、エンクロージャ１０１に設けられた開口部５２から基板表面の一部が露出している。本実施形態の例では、エンクロージャ１０１の上面に開口部５２が３箇所設けられている。そして、これら開口部５２から、主基板９１の表面に実装されたコネクタ５３Ａが露出している。これらコネクタ５３Aは、配線５１を介して他の基板（例えばインタフェース用基板７１）に実装されたコネクタ５３Ｂに接続される。【選択図】図１
2013179396.tif 000002
【特許請求の範囲】
【請求項１】
スピーカと、
電子部品が実装された基板と、
前記スピーカおよび前記基板を同一空間に格納するエンクロージャと、を備え、
前記エンクロージャは、開口部を有し、
前記基板は、外部接続用の配線が接続される接続部を有し、
前記基板を前記エンクロージャに取り付けたときに、前記開口部の周囲と前記基板とが密着し、前記基板のうち前記接続部を含む一部が前記開口部から露出することを特徴とするスピーカ装置。
【請求項２】
前記接続部は、コネクタであり、当該コネクタに前記配線が接続されることを特徴とする請求項１に記載のスピーカ装置。
【請求項３】
前記開口部の周囲と前記基板は、弾性部材を介して密着していることを特徴とする請求項１または請求項２に記載のスピーカ装置。
【請求項４】
前記開口部は、断面が斜めに切りこまれ、前記エンクロージャ外部から見て凹形状になっていることを特徴とする請求項１乃至請求項３のいずれかに記載のスピーカ装置。
【請求項５】
前記エンクロージャのうち前記開口部の周囲は、前記エンクロージャの他の部分よりも当該エンクロージャ内部側に凹んだ凹み平面部となっていることを特徴とする請求項１乃至請求項４のいずれかに記載のスピーカ装置。
【発明の詳細な説明】
【技術分野】
【０００１】
この発明は、スピーカ装置に関し、特にエンクロージャの構造および基板の取り付け方に関する。
【背景技術】
【０００２】
従来、スピーカ装置は、特許文献１〜４に示すように、スピーカ後方のエンクロージャと、各種基板等を格納する空間と、が別の空間に配置されているものが多い（特許文献１〜４等参照）。
【０００３】
エンクロージャは、密閉構造である必要がある。したがって、特許文献１等に記載されているように、エンクロージャと別の空間は、境界部分にスポンジ材等のクッションが配置されている。
【０００４】
一方、スピーカ装置の筐体を小型化しつつ、エンクロージャ容積を稼ぐために、エンクロージャ内に基板を格納すると、当該基板から外部の基板（例えばボリュームコントローラ用の基板）等へ各種配線を施す必要がある。この場合、エンクロージャと別の空間の境界部分において、配線をスポンジ材等のクッションで覆い、エンクロージャの密閉性を確保する必要がある。
【先行技術文献】
【特許文献】
【０００５】
【特許文献１】実開平６−３８３９３号公報
【特許文献２】特開平７−２９８１６８号公報
【特許文献３】特開２００５−２０３８９６号公報
【特許文献４】特開２００６−５０１６７号公報
【発明の概要】
【発明が解決しようとする課題】
【０００６】
しかし、スポンジ材では線材との隙間が発生し、密閉度が低下する。また、クッションの経年変化により密閉度が低下する場合もある。
【０００７】
接着剤を用いて密閉することも考えられるが、線材を取り外すことができなくなり、メンテナンス性が低下する。
【０００８】
そこで、この発明は、密閉度が高く、かつメンテナンス性を考慮したエンクロージャ構造を有するスピーカ装置を提供することを目的とする。
【課題を解決するための手段】
【０００９】
この発明のスピーカ装置は、スピーカと、電子部品が実装された基板と、前記スピーカおよび前記基板を同一空間に格納するエンクロージャと、を備えている。そして、エンクロージャは、開口部を有し、前記基板は、外部接続用の配線が接続される接続部を有し、前記基板を前記エンクロージャに取り付けたときに、前記開口部の周囲と前記基板とが密着し、前記基板のうち前記接続部を含む一部が前記開口部から露出することを特徴とする。
【００１０】
このように、本発明のスピーカ装置は、エンクロージャ内に基板を格納し、当該基板をエンクロージャに密着させつつ、外部接続用の配線が接続される箇所を外部に露出させることで、線材をスポンジ等のクッションで覆う必要なくエンクロージャの密閉性を確保することができる。また、接着剤を用いる必要もないため、メンテナンス性が低下することもない。
【００１１】
また、上記接続部は、コネクタであり、当該コネクタに前記配線が接続されることが好ましい。この場合、コネクタを外すことで、基板をエンクロージャに密着させながら配線を解除することができる。
【００１２】
また、開口部の周囲と基板は、スポンジ材等の弾性部材を介して密着していることが好ましい。開口部周囲を弾性体で密閉することで、よりエンクロージャの密閉性を高めることができる。
【００１３】
また、開口部は、断面が斜めに切りこまれ、エンクロージャ外部から見て凹形状になっていることが好ましい。これにより、エンクロージャ外部から接続部に対するアクセス性が向上し、メンテナンス性が向上する。
【００１４】
また、前記エンクロージャのうち前記開口部の周囲は、前記エンクロージャの他の部分よりも当該エンクロージャ内部側に凹んだ凹み平面部となっていることが好ましい。
【００１５】
すなわち、基板には、多数の電子部品を実装するため、これら電子部品の高さの分だけ内部側に凹んだ箇所を設け、この凹み平面部に開口部を設けることが好ましい。これにより、基板をエンクロージャの内壁に密着させたとしても、電子部品がエンクロージャの内壁に接触することはない。
【発明の効果】
【００１６】
この発明によれば、密閉度が高く、かつメンテナンス性を考慮したエンクロージャ構造を有する。
【図面の簡単な説明】
【００１７】
【図１】図１（Ａ）は、スピーカ装置の外観斜視図であり、図１（Ｂ）は、外装部を外した場合のスピーカ装置の外観斜視図である。
【図２】エンクロージャの上面一部を内部から見た図（一部透過図）である。
【図３】エンクロージャの上面一部を外部から見た図（一部透過図）である。
【図４】エンクロージャの上面一部および主基板の断面図である。
【発明を実施するための形態】
【００１８】
以下、図面を参照して、本発明の実施形態に係るスピーカ装置について説明する。
【００１９】
図１（Ａ）は、スピーカ装置の外観斜視図であり、図１（Ｂ）は、外装部を外した場合のスピーカ装置の外観図である。図２は、エンクロージャの上面一部を内部から見た図（一部透過図）である。図３は、エンクロージャの上面一部を外部から見た図（一部透過図）である。図４は、エンクロージャの上面一部および主基板の断面図である。なお、図２においては主基板を透過させ、図３においてはエンクロージャの上面を透過させている。
【００２０】
スピーカ装置１は、直方体形状の筐体（外装部）１０を備えている。筐体１０には、音量等を調整するための操作部や、オーディオケーブルや電源ケーブル等を接続する端子類が設けられている。図１の例では、筐体１０の左側面に端子５が２箇所設けられている。また、筐体１０の前面には、携帯音楽プレーヤ等の外部装置を装着するためのインタフェース（Ｉ／Ｆ）１７が設けられている。不図示の背面には電源ケーブルを接続するための電源端子が設けられている。
【００２１】
筐体１０の前面のバッフル１０２には、スピーカ１５Ａおよびスピーカ１５Ｂが設置されている。バッフル１０２、スピーカ１５Ａおよびスピーカ１５Ｂは、パンチメッシュ１１で覆われている。各スピーカは、筐体１０の前面方向に放音方向が向けられている。なお、スピーカの数や設置位置、設置方向はこの例に限るものではない。
【００２２】
スピーカ装置１は、端子５に接続された外部装置やＩ／Ｆ１７に接続された外部装置からオーディオデータや音声信号（デジタル音声信号またはアナログ音声信号）を入力する。不図示の制御部は、入力されたオーディオデータや音声信号を、アナログ音声信号としてスピーカ１５Ａおよびスピーカ１５Ｂに供給することで音声を再生する。
【００２３】
図１（Ｂ）に示すように、スピーカ装置１は、外装部である筐体１０を外すと、直方体形状のエンクロージャ１０１が露出する。このエンクロージャ１０１の左側面には、端子５を実装したインタフェース用基板７１が配置されている。インタフェース用基板７１は、エンクロージャ１０１の外部にネジ止め等により固定されている。
【００２４】
エンクロージャ１０１は、スピーカ１５Ａおよびスピーカ１５Ｂおよび主基板９１（図２、図３および図４を参照）を格納している。主基板９１は、スピーカ装置を動作させるための制御部やスピーカを駆動させるための各種機能部を構成する電子部品が搭載されている。
【００２５】
エンクロージャ１０１は、スピーカ１５Ａおよびスピーカ１５Ｂの背面を覆い、バッフル１０２とともに密閉空間を形成することで、各スピーカ前方に出力された音と後方に出力された音を干渉させない機能を有する。また、エンクロージャ１０１には、不図示のバスレフポートが設けられ、各スピーカの後方に出力された音の低音域をヘルムホルツ共鳴によって増幅する。ただし、バスレフポートは本発明において必須の構成要素ではなく、開口のない密閉型構造であってもよい。
【００２６】
本実施形態のスピーカ装置１は、エンクロージャ１０１内に主基板９１も格納しているため、主基板９１を別空間に格納する必要ない。したがって、装置全体を小型化しつつ、エンクロージャ容積を稼ぐことができる。
【００２７】
そして、主基板９１は、エンクロージャ１０１の内壁（本実施形態では、上面の内壁）に取り付けられ、エンクロージャ１０１に設けられた開口部５２から基板表面の一部が露出している。本実施形態では、エンクロージャ１０１の上面に開口部５２が３箇所設けられている。そして、これら開口部５２から、主基板９１の表面に実装されたコネクタ５３Ａが露出している。これらコネクタ５３Ａは、配線５１を介して他の基板（例えばインタフェース用基板７１）に実装されたコネクタ５３Ｂに接続される。
【００２８】
また、主基板９１は、エンクロージャ１０１の内壁にネジ止めされ、固定されている。そして、開口部５２の周囲のエンクロージャ内壁と主基板９１の表面は、スポンジ材等の弾性部材９２を介して密着している。弾性部材９２は、例えばエラストマー等の気密性部材からなる。弾性部材９２の形状は、開口部５２の形状に対応している。例えば、本実施形態に示す開口部５２は、長方形状であるため、弾性部材９２は、中空の四角筒形状となっている。弾性部材９２は、開口部５２の周囲を密閉するため、エンクロージャ１０１の密閉性を高めることができる。
【００２９】
このように、本実施形態のスピーカ装置１は、エンクロージャ１０１内に主基板９１を格納し、当該主基板９１をエンクロージャ１０１に密着させつつ、外部接続用の配線が接続される箇所（本実施形態ではコネクタが実装された箇所）をエンクロージャ１０１の外部に露出させることで、配線をエンクロージャ内部から外部に這わせたとしても、配線自体をスポンジ材等のクッションで覆う必要がなく、エンクロージャ１０１の密閉性を確保することができる。また、接着剤を用いる必要もないため、容易に基板間の接続を解除し、線材を外すことができ、メンテナンス性が低下することもない。
【００３０】
また、本実施形態では基板表面に実装されたコネクタがエンクロージャから露出する例を示したが、基板表面のうち外部接続用の配線が接続される箇所が露出していればよく、コネクタが露出する例に限るものではない。ただし、コネクタが露出することで、エンクロージャの外部から当該コネクタを容易に外すことができ、基板をエンクロージャに密着させた状態を維持しながらも配線を容易に解除することができる。
【００３１】
また、図４の断面図に示すように、開口部５２は、断面が斜めに切りこまれ、エンクロージャ１０１の外部から見て凹形状になっている。これにより、コネクタ５３Ａの周囲を手で掴むことができるため、エンクロージャ１０１の外部からコネクタ５３Ａに対するアクセス性が向上し、メンテナンス性が向上する。
【００３２】
さらに、エンクロージャ１０１のうち開口部５２の周囲は、エンクロージャ１０１の他の部分よりも内部側に一段（または複数段）凹んだ凹み平面部５４となっている。主基板９１には、多数の電子部品９５を実装するため、これら電子部品９５が存在する分だけ内部側に凹んだ箇所を設け、この凹み平面部５４に開口部５２を設ける。これにより、主基板９１をエンクロージャ１０１の内壁に密着させたとしても、電子部品９５がエンクロージャ１０１の内壁に接触することはない。
【００３３】
なお、本実施形態では、主基板９１をエンクロージャ１０１の上面内壁に取り付け、インタフェース用基板７１をエンクロージャの側面外壁に取り付ける例を示したが、無論、主基板以外の他の基板（例えば電源用基板）をエンクロージャ内に格納してもよいし、インタフェース用基板７１以外の基板をエンクロージャ外部に取り付けてもよい。また、エンクロージャ内に格納する基板の取り付け位置は、上面内壁に限るものではなく、底面や側面等の他の壁面に取り付けることも可能である。
【００３４】
また、本実施形態では、直方体形状のエンクロージャを示したが、エンクロージャの形状は、例えば角錐台形状や円錐台形状等、どのような形状であってもよい。
【符号の説明】
【００３５】
１…スピーカ装置
５…端子
１０…筐体
１１…パンチメッシュ
１５Ａ…スピーカ
１５Ｂ…スピーカ
１７…Ｉ／Ｆ
５１…配線
５２…開口部
５３Ａ…コネクタ
５３Ｂ…コネクタ
５４…平面部
７１…インタフェース用基板
９１…主基板
９２…弾性部材
９５…電子部品
１０１…エンクロージャ
１０２…バッフル
【図１】
2013179396.tif 000003
【図４】
2013179396.tif 000004
【図２】
2013179396.tif 000005
【図３】
2013179396.tif 000006